(57)【要約】【課題】  電気が不通状態となった場合に、自動的にその原因を確実かつ即座に使用者に報知することのできる電気不通原因報知システムを提供する。【解決手段】  本発明の電気不通原因報知システムは、電力量計と分電盤間の電圧を監視する第１の電圧監視手段と、前記分電盤上の複数の分岐回路それぞれの電圧を監視する第２の電圧監視手段と、前記第１の電圧監視手段及び前記第２の電圧監視手段からの出力信号を入力し、該出力信号に基づき、電気が不通状態であるか否かを判断し、さらに、電気が不通状態である場合には、その原因を少なくとも停電、漏電及び使い過ぎの中から判別する判別手段と、該判別手段の判別結果に対応する内容を所定の報知態様で報知可能な報知手段と、を備えることで、電気が不通状態となった原因を住居人等の使用者に確実かつ即座に報知することができる。【選択図】  図１
2006340526.tif 000002
【特許請求の範囲】
【請求項１】
電力量計と分電盤間の電圧を監視する第１の電圧監視手段と、
前記分電盤上の複数の分岐回路それぞれの電圧を監視する第２の電圧監視手段と、
前記第１の電圧監視手段及び前記第２の電圧監視手段からの出力信号を入力し、該出力信号に基づき、電気が不通状態であるか否かを判断し、さらに、電気が不通状態である場合には、その原因を少なくとも停電、漏電及び使い過ぎの中から判別する判別手段と、
該判別手段の判別結果に対応する内容を所定の報知態様で報知可能な報知手段と、
を備えたことを特徴とする電気不通原因報知システム。
【請求項２】
電力量計と分電盤間の電圧を監視する第１の電圧監視手段と、
漏電遮断器のＯＦＦ状態を検出する第１のＯＦＦ検出手段と、
前記分電盤上の複数の配線用遮断器それぞれのＯＦＦ状態を監視する第２のＯＦＦ検出手段と、
前記第１の電圧監視手段、前記第１のＯＦＦ検出手段及び前記第２のＯＦＦ検出手段からの出力信号を入力し、該出力信号に基づき、電気が不通状態であるか否かを判断し、さらに、電気が不通状態である場合には、その原因を少なくとも停電、漏電及び使い過ぎの中から判別する判別手段と、
該判別手段の判別結果に対応する内容を所定の報知態様で報知可能な報知手段と、
を備えたことを特徴とする電気不通原因報知システム。
【発明の詳細な説明】
【技術分野】
【０００１】
本発明は、電気の不通状態時において、その原因を使用者に報知するためのシステムに関する。
【背景技術】
【０００２】
図２に示すように、発電所等から送られてきた電気は、電柱上の変圧器で所定の電圧（例えば、１００Ｖ）に下げられ、電力量計を経て分電盤１００へと入り、一般家庭で使われる。
【０００３】
分電盤１００は、通常、漏電ブレーカ（漏電遮断器）１０と、複数（例えば、７個）の安全ブレーカ（配線用遮断器）１１〜１７を備えている。
【０００４】
漏電ブレーカ１０は、所定値以上の電流（例えば、５０Ａ）が流れると、自動的に切れる（ＯＦＦ状態になる）仕組みになっていて、契約容量（契約アンペア）を超える電気が当該家庭で消費されるのを防止している。また、感電や火災を防止するため、漏電を感知しても自動的にＯＦＦ状態になる仕組みになっている。
【０００５】
安全ブレーカ１１〜１７は、各分岐回路毎に設けられ、所定値以上の電流（例えば、２０Ａ）が流れると自動的にＯＦＦ状態になることで、屋内配線を保護し、火災等の事故を防止している。
【発明の開示】
【発明が解決しようとする課題】
【０００６】
上述のように、使用側の問題によって電気が不通状態となっている場合には、分電盤上の対応するブレーカがＯＦＦ状態になっているので、住居人等の使用者が、当該分電盤を見れば、その不通原因（使い過ぎ、漏電等）は判明する。一方、何れのブレーカもＯＮ状態のままであるにもかかわらず、電気が不通状態となっている場合には、その原因は、供給側の問題（即ち、停電）であるといえる。つまり、電気が不通状態となった場合、分電盤を見れば、その主たる原因は判明する。
【０００７】
とはいえ、分電盤を見ても、不通原因が何であるかを判断できない使用者も決して少なくない。そのような使用者は、電気が不通状態になると、その原因を特定するのに手間取り、それが使用側の問題である場合（即ち、停電でない場合）であっても、迅速に復旧させることができていないのが実情である。
【０００８】
本発明は、上記従来の実情を鑑みてなされたものであり、電気が不通状態となった場合に、自動的にその原因を確実かつ即座に使用者に報知することのできる電気不通原因報知システムを提供することを目的とする。
【課題を解決するための手段】
【０００９】
本発明に係る電気不通原因報知システムは、電力量計と分電盤間の電圧を監視する第１の電圧監視手段と、前記分電盤上の複数の分岐回路それぞれの電圧を監視する第２の電圧監視手段と、前記第１の電圧監視手段及び前記第２の電圧監視手段からの出力信号を入力し、該出力信号に基づき、電気が不通状態であるか否かを判断し、さらに、電気が不通状態である場合には、その原因を少なくとも停電、漏電及び使い過ぎの中から判別する判別手段と、該判別手段の判別結果に対応する内容を所定の報知態様で報知可能な報知手段と、を備えたことを特徴とする。
【００１０】
上記構成のシステムにおいて、「電気が不通状態である」には、停電状態（即ち、分電盤に電気が供給されていない状態）だけでなく、前記複数の分岐回路の何れか１つ以上に電気が供給されていない状態も含まれる。
【００１１】
また、前記判別手段は、前記第１の電圧監視手段及び前記第２の電圧監視手段からの出力信号に基づき、例えば、（１）分電盤に電気が供給されていない（例えば、電力量計と分電盤間の電圧が０Ｖ）場合は「停電」、（２）分電盤に電気が供給されているが、全ての分岐回路に電気が供給されていない（例えば、全て電圧が０Ｖ）場合は「漏電」、（３）電気が供給されている分岐回路と供給されていない分岐回路が混在する場合は「使い過ぎ」、等のようにその原因を判別することができる。
【００１２】
上記構成のシステムによれば、何らかの原因で電気が不通状態となった場合、その原因（停電、漏電又は使い過ぎ）を所定の態様（例えば、音声や文字表示）で報知するので、電気に詳しくない使用者でも確実かつ即座に当該原因を知ることが可能となる。
【００１３】
また、本発明の他の観点の電気不通原因報知システムは、電力量計と分電盤間の電圧を監視する第１の電圧監視手段と、漏電遮断器のＯＦＦ状態を検出する第１のＯＦＦ検出手段と、前記分電盤上の複数の配線用遮断器それぞれのＯＦＦ状態を監視する第２のＯＦＦ検出手段と、前記第１の電圧監視手段、前記第１のＯＦＦ検出手段及び前記第２のＯＦＦ検出手段からの出力信号を入力し、該出力信号に基づき、電気が不通状態であるか否かを判断し、さらに、電気が不通状態である場合には、その原因を少なくとも停電、漏電及び使い過ぎの中から判別する判別手段と、該判別手段の判別結果に対応する内容を所定の報知態様で報知可能な報知手段と、を備えたことを特徴とする。
【００１４】
上記構成のシステムは、第２の電圧監視手段の代わりに第１のＯＦＦ検出手段及び第２のＯＦＦ検出手段を備えているが、前述のシステムと同一の作用・効果を奏する。
【００１５】
上記構成の判別手段は、例えば、漏電遮断器（漏電ブレーカ）がＯＦＦ状態であれば「漏電」、漏電遮断器がＯＮ状態で、何れかの配線用遮断器（安全ブレーカ。各分岐回路毎に設けられる。）がＯＦＦ状態であれば「使い過ぎ」として、その原因を判別することができる。
【発明の効果】
【００１６】
以上の如く、本発明の電気不通原因報知システムは、電気が不通状態となった場合、自動的にその原因を報知することができるので、電気に詳しくない使用者でも確実かつ即座に当該原因を知ることが可能となり、復旧作業等の対応の迅速化が図れる。
【発明を実施するための最良の形態】
【００１７】
以下、本発明に係る電気不通原因報知システムの一実施形態について図面を参照して説明する。
【００１８】
図１は、本実施形態に係る電気不通原因報知システムの構成を示す図である。図１に示すように本システムは、分電盤１及び報知装置２で構成されている。分電盤１は、契約容量（例えば、５０Ａ）以上の電流が流れた場合や漏電を感知した場合に自動的にＯＦＦ状態になることで、屋内への電気供給を遮断する漏電ブレーカ１０と、図示しない各分岐回路（電気を部屋や用途（例えば、エアコン、調理用ヒータ等）別に分けるための回路）毎に設けられ、所定値（例えば、２０Ａ）以上の電流が流れると自動的にＯＦＦ状態になることで、当該分岐回路に対応する部屋等への電気供給を遮断する安全ブレーカ１１〜１７を備えている。
【００１９】
また、分電盤１は、本発明の特徴部分として、電圧監視部１８（第１の電圧監視手段）及び電圧監視部１９（第２の電圧監視手段）を備えている。電圧監視部１８は、電力量計と漏電ブレーカ１０間の電圧（図１のＶ10）を監視し、その結果を信号にして報知装置２に伝達する。具体的には、電圧監視部１８は、Ｖ10が所定の電圧値（例えば、０Ｖ）になると信号線Ｓ10にＯＮ（ＨＩＧＨレベル）信号を出力し、それ以外の電圧値ならばＯＦＦ（ＬＯＷレベル）信号を出力する。
【００２０】
電圧監視部１９は、各分岐回路の動作電圧（図１のＶ11〜Ｖ17）を監視し、それぞれの結果を信号にして報知装置２に伝達する。具体的には、電圧監視部１９は、Ｖ11〜Ｖ17の何れかが、所定の電圧値（例えば、０Ｖ）になると対応する信号線（Ｓ11〜Ｓ17）にＯＮ（ＨＩＧＨレベル）信号を出力し、それ以外の電圧値ならばＯＦＦ（ＬＯＷレベル）信号を出力する。
【００２１】
報知装置２は、その内部にＣＰＵ、メモリ等からなる制御部及び出力部（何れも図示せず）を備えている。尚、本実施形態において、制御部は判別手段を構成し、出力部は報知手段を構成する。
【００２２】
前記制御部は、電圧監視部１８及び電圧監視部１９から出力される信号を解析することで、電気が不通状態であるか否かを判断し、不通状態である場合には、その原因を判別する。以下、前記制御部の判別手法について、具体例を挙げて詳細に説明する。
【００２３】
先ず、電圧監視部１８からの出力信号がＯＮ（即ち、Ｖ10が０Ｖの場合）、あるいは電圧監視部１９からの何れかの出力信号（即ち、Ｓ11〜Ｓ17の何れかに対する出力信号）がＯＮである場合（即ち、Ｖ11〜Ｖ17の何れかが０Ｖの場合）には、電気が不通状態であると判断する。
【００２４】
そして、電気が不通状態の場合、（１）電圧監視部１８からの出力信号がＯＮの場合は、「停電」がその原因であると判別する。（２）電圧監視部１８からの出力信号がＯＦＦであるが、電圧監視部１９からの全ての出力信号がＯＮの場合（即ち、全ての分岐回路に電気が供給されていない場合）は、「漏電」がその原因であると判別する。（３）電圧監視部１９からの出力信号にＯＮ及びＯＦＦが混在している場合（即ち、電気が供給されている分岐回路と、電気が供給されていない分岐回路が混在している場合）は、「電気の使い過ぎ」がその原因であると判別する。
【００２５】
以上のようにして判別した結果は前記出力部に伝えられる。該出力部は、前記判別結果に係る内容を所定の報知態様で外部に出力する（本実施形態では、音声にて出力する。）。具体的には、複数の音声データ（例えば、”停電です。しばらくお待ち下さい。”、”漏電のおそれがあります。”や”電気の使い過ぎです。”等）が、図示しない不揮発性メモリ等の記憶部に記憶されていて、前記出力部は、かかる記憶部から、前記判別結果に対応する音声データを取り出し、スピーカ等を介して出力する。
【００２６】
以上説明したように、本発明の上記実施形態に係る電気不通原因報知システムによれば、電気が不通状態となった場合、その原因（停電、漏電又は使い過ぎ）を自動的に判別し、その旨を音声により報知することができるので、電気に詳しくない使用者（住居人等）でも確実かつ即座に当該原因を知ることが可能となり、復旧等の対応の迅速化が期待できる。
【００２７】
尚、本発明に係る電気不通原因報知システムは、上記実施形態に限定されるものではなく、本発明の要旨を逸脱しない範囲で種々の変更が可能である。
【００２８】
例えば、上記実施形態の電気不通原因報知システムは、電圧監視部１８及び電圧監視部１９を備えることで、電気の不通原因を判別可能にしているが、電圧監視部１９を備える代わりに、漏電ブレーカ及び安全ブレーカのＯＦＦ状態（遮断時の状態）を検出し、かかる検出信号を制御部（判別手段）に出力できる検出手段を備える構成にしてもよい。この場合、例えば、漏電ブレーカがＯＦＦ状態であれば「漏電」、漏電ブレーカがＯＮ状態であり、何れかの安全ブレーカがＯＦＦ状態であれば「使い過ぎ」として、その原因を判別することができる。
【００２９】
また、報知装置は、音声による出力のみならず、ＬＥＤや液晶画面等を使用した文字等の出力によって報知することも可能である。
【００３０】
また、電気の不通原因が「使い過ぎ」の場合において、遮断している安全ブレーカを特定し、それを報知内容に含める仕様としてもよい（例えば、”電気の使い過ぎです。コンセントから電源を抜いて、台所用のブレーカを入れて下さい。”等）。
【図面の簡単な説明】
【００３１】
【図１】本発明の一実施形態に係るの電気不通原因報知システムの構成を示す図である。
【図２】従来の分電盤を説明するための概念図である。
【符号の説明】
【００３２】
１，１００  分電盤
２          報知装置
１０        漏電ブレーカ
１１〜１７  安全ブレーカ
１８，１９  電圧監視部
【図１】
2006340526.tif 000003
【図２】
2006340526.tif 000004